(57)【要約】【課題】誤検知の頻度を低減し、ユーザの操作性が良好なタッチパネル、タッチパネルを備える空調システム、及びタッチパネルの制御方法を提供することを目的とする。【解決手段】１または複数の機能にそれぞれ対応する領域を示すボタン領域４０とボタン領域４０以外の領域である非ボタン領域３０とを有するタッチパネル１であって、ペンアップ状態からペンダウンとなった時点でのタッチパネル１上の座標認識位置が、非ボタン領域３０である場合は、座標を検索する座標検索状態を再ペンアップするまで継続し、ボタン領域４０である場合は、座標を座標認識位置にて確定しボタン選択状態とする。【選択図】図１
2019109748.tif 000002
【特許請求の範囲】
【請求項１】
１または複数の機能にそれぞれ対応する領域を示すボタン領域と前記ボタン領域以外の領域である非ボタン領域とを有するタッチパネルであって、
ペンアップ状態からペンダウンとなった時点での前記タッチパネル上の座標認識位置が、前記非ボタン領域である場合は、座標を検索する座標検索状態を再ペンアップするまで継続し、前記ボタン領域である場合は、前記座標を該座標認識位置にて確定しボタン選択状態とするタッチパネル。
【請求項２】
前記ペンアップ状態から前記ペンダウンしたままの状態で前記座標認識位置が前記ボタン領域へ移動した場合は、前記座標を該座標認識位置にて確定しボタン選択状態とする請求項１に記載のタッチパネル。
【請求項３】
前記ペンアップ状態から前記ペンダウンした後に再ペンアップとなった場合であって、前記座標認識位置が前記ペンダウン中にいずれかの前記ボタン領域内に入った場合は、前記再ペンアップ時の前記座標認識位置にかかわらず前記再ペンアップ前で直近に入った前記ボタン領域に対応する前記機能を確定しボタン確定状態とする請求項１または請求項２に記載のタッチパネル。
【請求項４】
前記ボタン領域は、前記タッチパネル上の対応するボタンの画像の面積よりも面積を中心方向に縮小した領域とされる請求項１から請求項３のいずれか１項に記載のタッチパネル。
【請求項５】
請求項１から請求項４のいずれか１項に記載のタッチパネルを備える空調システム。
【請求項６】
１または複数の機能にそれぞれ対応する領域を示すボタン領域と前記ボタン領域以外の領域である非ボタン領域とを有するタッチパネルの制御方法であって、
ペンアップ状態からペンダウンとなった時点での前記タッチパネル上の座標認識位置を検知する工程と、
前記座標認識位置が前記非ボタン領域である場合は、座標を検索する座標検索状態を継続する工程と、
前記座標認識位置が前記ボタン領域である場合は、前記座標を該座標認識位置にて確定しボタン選択状態とする工程と、
を備えるタッチパネルの制御方法。
【発明の詳細な説明】
【技術分野】
【０００１】
本発明は、タッチパネル、タッチパネルを備える空調システム、及びタッチパネルの制御方法に関するものである。
【背景技術】
【０００２】
画面上にユーザ入力用画面を表示し、ユーザの手指等によるタッチ操作にて設定や指示を行うタッチパネルが、様々な装置への入力インターフェースとして用いられている。
タッチパネルには、各機能や入力項目ごとに割り当てられた画像や文字等、例えばボタン画像が表示されており、ボタン画像に対応するタッチパネル上の領域がタッチ操作されるとそのボタン画像に割り当てられた情報の入力などが行われる。
【０００３】
タッチパネルを用いた入力インターフェースにおいては、ユーザが各機能や入力項目に割り当てられたボタン画像に対応する領域を選択したつもりが、ボタン画像に対応していない領域を選択している場合がある。この時、ユーザはボタン画像をタッチしたにもかかわらずボタン画像が選択状態にならず、タッチパネルが反応しないことにストレスを感じる場合がある。
【０００４】
そこで、ユーザによりボタン画像に対応していない領域のタッチ操作が行われたことを報知する方法が検討されている。例えば、特許文献１には、ユーザのタッチ操作に対するユーザ指示が設定されていない入力拒否領域をタッチしている場合に、マーカーを表示することが開示されている。
【先行技術文献】
【特許文献】
【０００５】
【特許文献１】特開平１１−３２７７８８号公報
【発明の概要】
【発明が解決しようとする課題】
【０００６】
しかしながら、上記特許文献１に開示された発明では、入力拒否領域にタッチが行われるとマーカーが表示されるのみであるため、例えばタッチパネルの接触抵抗の影響によるタッチ検知座標と実際のタッチ位置の座標とにずれがあった場合にエラーが顕在化しタッチパネルのクレームにつながるという問題があった。
【０００７】
本発明は、このような事情に鑑みてなされたものであって、誤検知の頻度を低減しユーザの操作性が良好なタッチパネル、タッチパネルを備える空調システム、及びタッチパネルの制御方法を提供することを目的とする。
【課題を解決するための手段】
【０００８】
上記課題を解決するために、本発明のタッチパネル、タッチパネルを備える空調システム、及びタッチパネルの制御方法は以下の手段を採用する。
本発明の第一態様に係るタッチパネルは、１または複数の機能にそれぞれ対応する領域を示すボタン領域と前記ボタン領域以外の領域である非ボタン領域とを有するタッチパネルであって、ペンアップ状態からペンダウンとなった時点での前記タッチパネル上の座標認識位置が、前記非ボタン領域である場合は、座標を検索する座標検索状態を再ペンアップするまで継続し、前記ボタン領域である場合は、前記座標を該座標認識位置にて確定しボタン選択状態とする。
【０００９】
従来はペンダウンとなった時点での座標認識位置にて座標を確定していたため、非ボタン領域でペンダウンするとその後ユーザのタッチ位置が移動してもボタンが選択されないままであった。これに対し、本態様によれば、非ボタン領域でペンダウンした場合でも座標を検索し続けるため、タッチパネルに触れたにもかかわらずボタンが選択されないままの状態を防ぐことができ、ユーザの操作性を向上させることができる。
【００１０】
上記第一態様では、前記ペンアップ状態から前記ペンダウンしたままの状態で前記座標認識位置が前記ボタン領域へ移動した場合は、前記座標を該座標認識位置にて確定しボタン選択状態とするとしてもよい。
【００１１】
本態様によれば、前記ペンアップ状態から前記ペンダウンしたままの状態で前記座標認識位置が前記ボタン領域へ移動した場合は、前記座標を該座標認識位置にて確定しボタン選択状態とすることから、実際にユーザが触れた箇所とずれた非ボタン領域でペンダウンした場合でも、例えばペンダウン後に指を押し込むことで実際にユーザが触れた箇所であるボタン領域まで座標が移動するのを検索し続け、ボタン領域まで移動するとその座標認識位置にて座標を確定してボタン選択状態とすることができる。
また、ユーザが非ボタン領域でペンダウンし、その後指をスライドさせてボタン領域まで移動させた場合でも、その座標認識位置にて座標を確定してボタン選択状態とすることができる。
【００１２】
上記第一態様では、前記ペンアップ状態から前記ペンダウンした後に再ペンアップとなった場合であって、前記座標認識位置が前記ペンダウン中にいずれかの前記ボタン領域内に入った場合は、前記再ペンアップ時の前記座標認識位置にかかわらず前記再ペンアップ前で直近に入った前記ボタン領域に対応する前記機能を確定しボタン確定状態とするとしてもよい。
【００１３】
本態様によれば、前記座標認識位置が前記ペンダウン中にいずれかの前記ボタン領域内に入った場合は、前記再ペンアップ時の前記座標認識位置にかかわらず前記再ペンアップ前で直近に入った前記ボタン領域に対応する前記機能を確定しボタン確定状態とすることから、ユーザが再ペンアップする前にいずれかのボタン領域に触れた場合は、再ペンアップする直近のボタンを確定してそのボタンに対応する機能を確定することができる。例えば、ユーザがボタンを押下し再ペンアップした際に再ペンアップ時の座標認識位置が非ボタン領域であっても、ユーザはボタンを押下したと認識している可能性が高い。このような場合に、ユーザの認識と、タッチパネルの動作とに乖離を無くし、ユーザの操作性を向上させることができる。またユーザがボタンをタッチした際に誤って異なるボタンをタッチした場合であっても、タッチ箇所をスライドさせることにより、所望のボタンまでタッチ箇所を移動させ、正しいボタンを押下することができる。
【００１４】
上記第一態様では、前記ボタン領域は、前記タッチパネル上の対応するボタンの画像の面積よりも面積を中心方向に縮小した領域としてもよい。
【００１５】
本態様によれば、前記ボタン領域は、前記タッチパネル上の対応するボタンの画像の面積よりも面積を中心方向に縮小した領域とされることから、ボタン領域が近接する場合にボタン領域の境界近くをタッチしても、タッチパネル上はボタンであるが座標は非ボタン領域として認識される。よって、ユーザはボタンの中心部分近くをタッチすることとなる。これにより、タッチパネルにおいて他の隣接するボタン領域を誤検知することを抑止することができる。
【００１６】
本発明の第二態様に係る空調システムは、前述のタッチパネルを備える。
【００１７】
本発明の第三態様に係るタッチパネルの制御方法は、１または複数の機能にそれぞれ対応する領域を示すボタン領域と前記ボタン領域以外の領域である非ボタン領域とを有するタッチパネルの制御方法であって、ペンアップ状態からペンダウンとなった時点での前記タッチパネル上の座標認識位置を検知する工程と、前記座標認識位置が前記非ボタン領域である場合は、座標を検索する座標検索状態を継続する工程と、前記座標認識位置が前記ボタン領域である場合は、前記座標を該座標認識位置にて確定しボタン選択状態とする工程と、を備える。
【発明の効果】
【００１８】
本発明によれば、ペンアップ状態からペンダウンとなった時点でのタッチパネル上の座標認識位置が非ボタン領域である場合は、座標を検索する座標検索状態を再ペンアップするまで継続するので、タッチパネルに触れたにもかかわらずボタンが選択されないままの状態を防ぐことができ、ユーザの操作性を向上させることができる。
【図面の簡単な説明】
【００１９】
【図１】本発明の一実施形態に係るタッチパネルの表示例を示した図である。
【図２】タッチパネルの一検出方式である抵抗膜方式を示す概略図である。
【図３】タッチパネルの一検出方式である静電容量方式を示す概略図である。
【図４】参考例としてのタッチパネルの操作を示した概略図である。
【図５】参考例としてのタッチパネルの操作を示した概略図である。
【図６】本発明の一実施形態に係るタッチパネルの操作を示した概略図である。
【図７】本発明の一実施形態に係るタッチパネルの操作を示した概略図である。
【図８】本発明の一実施形態に係るタッチパネルの制御を示したフローチャートである。
【図９】本発明の一実施形態の変形例におけるタッチパネルの表示例を示した図である。
【発明を実施するための形態】
【００２０】
以下に、本発明に係るタッチパネル、タッチパネルを備える空調システム、及びタッチパネルの制御方法の一実施形態について、図１乃至８を用いて説明する。
図１には、本実施形態に係るタッチパネルの表示例が示されている。
本実施形態に係るタッチパネル１は、空調システム（図示せず）の設定、指示などを行うリモコン（図示せず／有線、無線を問わない）に備えられるとする。リモコンのタッチパネル１には、１または複数のボタン画像が表示される。ユーザは、所望の操作に対応したタッチパネル１のボタン画像をタッチすることにより、所望の設定操作等を行うことができる。ボタン画像がタッチパネル１のボタン領域４０に対応しており、ボタン領域４０が対応する空調システムの機能等に対応している。
【００２１】
図１に示されるように、タッチパネル１には、ボタン画像かつボタン領域４０として運転モードボタン４７、タイマー設定ボタン４１、設定温度ボタン４２、風向ボタン４３、風量ボタン４４、メニューボタン４５、メッセージ表示ボタン４６が表示されている。各ボタンを示す枠線内がボタン画像であると同時にボタン領域４０であり、タッチパネル１上でボタン領域４０以外の領域が非ボタン領域３０である。タッチパネル１の非ボタン領域３０には、例えば日付、時間、曜日、設置場所などが表示される。
【００２２】
タッチパネル１は、図１の表示に限らず、メニュー画面や設定画面などタッチ操作にて操作が可能なあらゆる画面を表示可能としている。
ユーザは、タッチパネル１を手指やタッチペンなどでタッチすることにより、対象のボタンに対応する機能を選択する。ユーザがタッチした際にタッチパネル１が認識するタッチパネル１上の座標の位置を、座標認識位置とする。
また、対象のボタンが選択された状態をボタン選択状態、対象のボタンが選択されそのボタンに対応する機能が確定した状態をボタン確定状態とする。
【００２３】
タッチパネル１における検出方式としては、大きく抵抗膜方式と静電容量方式とが挙げられる。
図２には、タッチパネルの一検出方式である抵抗膜方式が図に示されている。
抵抗膜方式は、手指やタッチペンなどで押した画面の位置を、電圧変化の測定によって検知するものである。
抵抗膜方式のタッチパネル１は、フイルム２１と、透明電極膜２２と、ドットスペーサー２３と、絶縁体２４と、ガラス２５とを主な構成として備えている。導電層となる透明電極膜２２を配置したフイルム２１の面と、透明電極膜２２を配置したガラス２５の面とをドットスペーサー２３及び絶縁体２４を配して間隔をあけて貼り付けることにより、フイルム２１の表面が物理的に押されると、フイルム２１側とガラス２５側の透明電極膜２２同士が接触して電気が流れる。この電圧の変動を検出することにより、接点の位置（座標）を捉える。そのため、ある程度大きな押圧力が必要であり、また同じ場所を押したとしても、押し方によって位置検知の影響度が大きく、押圧によって座標の位置が毎回異なる場合もある。
【００２４】
抵抗膜方式の長所は、構造が単純であるため、低コストで製造が可能であり、また消費電力の面でも比較的低コストに抑えることができる点である。さらに、表面にフイルム２１を塗布しているため防塵性や防水性に優れ、フイルム２１への圧力で入力するため手指だけでなく手袋をしたままの状態やタッチペンによる入力が可能であり、手書き文字の入力も可能である。
一方で、抵抗膜方式は、フイルム２１と２枚の透明電極膜２２とによって画面の透過率が低くなり、表示品質が低下する。また画面サイズの大きさに反比例して検出精度が下がる。さらに、耐久性や耐衝撃性が比較的低いとされる。
【００２５】
図３には、タッチパネルの一検出方式である静電容量方式が図に示されている。
静電容量方式は、画面に手指が触れると発生する微弱な電流、すなわち静電容量（電荷）の変化をセンサーで感知し、タッチした位置を把握するものである。ユーザの手指を画面に近づけると、人体の静電容量にセンサーが反応する。そのため、タッチパネル画面にユーザの手指が接触する寸前でポインターを動かすような操作も可能である。静電容量方式には、比較的大型のパネルで使用されることが多い表面型静電容量方式や、携帯機器など小さな画面サイズの機器に用いられることが多い投影型静電容量方式等がある。ここでは、表面型静電容量方式について説明する。
表面型静電容量方式のタッチパネル１は、保護カバー３１と、透明電極膜３２と、ガラス基板３３と、電極３４とを主な構成として備えている。ガラス基板３３の上に透明電極膜３２を配し、その表面に保護カバー３１を重ねており、ガラス基板３３の四隅にある電極３４に電圧をかけてパネル全体に均一な低圧の電解を発生させることにより、ユーザの手指が触れた際の静電容量の変化をパネル四隅で測定し、ユーザの手指の座標を特定する。
【００２６】
静電容量方式の長所は、静電容量の変化を感知することから衣服の袖や通常のペンには反応せず、防塵性、防水性、耐久性、耐傷性に優れている。また抵抗膜方式に比べると透過率が高い。
その一方で、静電容量方式は、抵抗膜方式に比べると製造及び消費電力の面でコストがかかる。またユーザの手指以外では静電容量方式に反応する専用のタッチペンに限り対応しており、手袋をしたままの状態など静電容量の変化がない場合はタッチパネル１が反応しない。さらに、金属筐体がタッチパネル１近傍にある場合に、その影響を受けやすい。
【００２７】
タッチパネル１の操作アルゴリズムでは、画面に触れた（ペンダウン）、画面に触れている（ペンドラッグ）、画面から離れた（ペンアップ）、アクションなし（なし）の４つの状態にてステータスを管理している。これらの各状態に基づき、どのタイミングで座標を認識し座標を確定させるかについて、決定する。特に前述した抵抗膜方式を用いたタッチパネル１では、タッチパネル１を押すことで電圧値を変化させ、変化した電圧値がタッチパネル１画面上のどの位置に該当するかで座標を確定させている。
そのため、同じ場所を押した場合であっても、押す力の加減や指の向きなどにより電圧値が変わってしまい、タッチパネル１の制御部（図示せず）が認識する座標がユーザの意図する位置（座標）と一致しない場合がある。例えば、ユーザがタッチパネル１画面上のボタン画像を押したつもりであっても、押す力が弱いことや、ノイズの重畳など設置環境によって電圧値にぶれが生じ、ボタン画像以外の非ボタン領域３０を認識する事象が発生する。この場合、ユーザはボタンを押したにもかかわらずタッチパネル１が反応しないため、ストレスを感じクレームにつながる虞がある。
【００２８】
そこで本実施形態における、特に抵抗膜方式を採用したタッチパネルについての座標を確定する制御について説明する。
図４には、参考例としてのタッチパネルの操作の概略が図に示されている。
図４において、（ａ）、（ｂ）、（ｃ）の順でタッチパネル１の操作が進む（遷移する）ものとする。
図４（ａ）は、ペンアップ状態から非ボタン領域３０にユーザの指がペンダウンした状態、図４（ｂ）は、図４（ａ）でペンダウンした位置からユーザが指をペンドラッグしたまま「風向」ボタンのボタン領域４０に指をスライドした状態、図４（ｃ）は、図４（ｂ）の位置、すなわちボタン領域４０内でユーザの指が再ペンアップした状態を示している。
【００２９】
従来の座標を確定する制御の場合、図４（ａ）のようにペンアップ状態からペンダウン時に非ボタン領域３０を押下すると、ボタン領域４０でないためボタン選択状態としない。また、図４（ｂ）及び図４（ｃ）のように非ボタン領域３０からボタン領域４０へ指をスライドさせたとしても、ボタン選択状態としない。
これは、非ボタン領域３０を押下した後、指をスライドさせてボタン上を通過した場合にボタンを選択状態にすると、特に複数のボタン上を通過する場合は複雑な処理が行われることとなりボタンの入力動作が成り立たなくなるため、ペンダウン時にのみボタン選択状態とする処理を行っているためである。
【００３０】
図５には、参考例としてのタッチパネルの操作の概略が図に示されている。
図５において、（ａ）、（ｂ）の順でタッチパネルの操作が進む（遷移する）ものとする。
図５（ａ）は、ユーザがタッチパネル１を軽くタッチした状態、図５（ｂ）は、ユーザが指を押し込んだ状態を示している。
【００３１】
従来の座標を確定する制御の場合、図５（ａ）のようにユーザが軽くタッチした際にタッチパネル１の接触抵抗の影響を受けて、図に十字で示されるタッチ座標の位置が実際のタッチ位置（ユーザが認識するタッチ位置）とずれ、非ボタン領域３０をタッチしたと認識され座標が確定される場合がある。この場合、その後図５（ｂ）のように押し込んだ指の座標がボタン領域４０に移動したとしても、図５（ａ）でタッチした非ボタン領域３０の座標が座標認識位置として認識されているため、ボタンはボタン選択状態とならない。
このように、ユーザはタッチパネル１のボタンを押したにもかかわらず、タッチパネル１が反応しないため、タッチパネル１のタッチ感度が悪いと認識することとなる。
【００３２】
これらの事象を抑止するため、本実施形態では次のような処理を行う。
図６には、本発明の一実施形態に係るタッチパネルの操作の概略が図に示されている。
図６において、（ａ）、（ｂ）、（ｃ）の順でタッチパネル１の操作が進む（遷移する）ものとする。
図６（ａ）は、ペンアップ状態から非ボタン領域３０にユーザの指がペンダウンした状態、図６（ｂ）は、図６（ａ）でペンダウンした位置からユーザが指をペンドラッグしたまま「風向」ボタンのボタン領域４０に指をスライドした状態、図６（ｃ）は、図６（ｂ）の位置、すなわちボタン領域４０内でユーザの指が再ペンアップした状態を示している。
【００３３】
本実施形態の場合、図６（ａ）のようにペンアップ状態からペンダウン時に非ボタン領域３０を押下すると、ペンダウンを継続する。このようにペンダウン状態を継続することで、座標検索状態を継続させることとなる。次に図６（ｂ）のようにユーザの指がペンドラッグしたまま「風向」ボタンのボタン領域４０に入ると、ボタン選択状態となり、例えば「風向」ボタンが白黒反転してユーザに「風向」ボタンが選択されていることが報知される。ユーザへの報知方法は、本方式に限らず、ボタンの色が変わる、点滅する、音が鳴る等ユーザが認識可能な方法であればいずれの方法であってもよい。
【００３４】
そして、図６（ｃ）のように図６（ｂ）の位置でユーザの指が再ペンアップされると、座標が確定され、ボタン領域４０に対応する機能、この場合「風向」の変更を確定しボタン確定状態とする。タッチパネル１からは、空調システムに対し、「風向」の変更を行う指示が伝達される。
【００３５】
また、図６（ａ）から図６（ｃ）へ遷移する場合に、複数のボタン領域４０、またはボタン領域４０及び非ボタン領域３０を移動した場合は、再ペンアップ前で直近に入ったボタン領域４０に対応する機能を確定しボタン確定状態とする。そのため、図６（ｃ）に示される再ペンアップがボタン領域４０及び非ボタン領域３０のいずれで実行されても、ユーザの指がペンダウンまたはペンドラッグ中にボタン領域４０に入っていればタッチパネル１はボタン確定状態となる。
これにより、ボタン確定状態となる確率がさらに上がり、ユーザの操作性の向上につながる。
【００３６】
図７には、本発明の一実施形態に係るタッチパネルの操作の概略が図に示されている。
図７において、（ａ）、（ｂ）の順でタッチパネル１の操作が進む（遷移する）ものとする。
図７（ａ）は、ユーザがタッチパネル１を軽くタッチした状態、図７（ｂ）は、ユーザが指を押し込んだ状態を示している。図５の場合と同様に、図７（ａ）のようにユーザが軽くタッチした際にタッチパネル１の接触抵抗の影響を受けて、タッチ座標の位置が実際のタッチ位置（ユーザが認識するタッチ位置）とずれ、非ボタン領域３０をタッチしたと認識されて座標が確定され、その後図７（ｂ）のように押し込んだ指の座標がボタン領域４０に移動した場合を想定している。
【００３７】
図７（ａ）のようにユーザが指をタッチしている位置と図に十字で示される座標認識位置とがずれており、座標認識位置が非ボタン領域３０である場合は、ペンダウンを継続する。よって、座標検索状態が継続される。その後、図７（ｂ）のようにユーザの指が押し込まれると、座標認識位置がボタン領域４０へ移動し、ボタン選択状態となる。
このように、何らかの原因でペンアップ状態からペンダウンとなった時点の座標選択位置が非ボタン領域３０となった場合であっても、ユーザの指の押し込みにより座標選択位置がボタン領域４０となればボタンがボタン選択状態となりユーザにその旨が報知されるため、ユーザがタッチパネルのボタンを押したにもかかわらずタッチパネルが反応しない事象を抑制することができる。
【００３８】
図８には、本発明の一実施形態に係るタッチパネルの制御がフローチャートに示されている。
タッチパネル１において、タッチが行われたかどうかの判定、タッチ判定処理が行われ（Ｓ８０１）、タッチパネル１上でユーザの指などがペンアップ状態からペンダウンしたか否かの判定が行われる（Ｓ８０２）。ペンダウンしたと判定された場合は、ステップＳ８０３へ遷移し、ペンダウンしていないと判定された場合はステップＳ８０１へ戻り再度タッチ判定が行われる。
【００３９】
次に、ペンダウン状態からペンアップしたか否かの判定が行われる（Ｓ８０３）。ペンアップしたと判定された場合は、処理を終了する。ペンアップしていないと判定された場合は、ステップＳ８０４へ遷移する。
【００４０】
ペンアップしてないと判定された場合、すなわちペンダウン状態である場合は、ペンダウンとなった時点での座標認識位置が確定される（Ｓ８０４）。
【００４１】
次に、ボタン領域の判定処理が行われ（Ｓ８０５）、ペンダウンとなった時点での座標認識位置がボタン領域内か否かの判定が行われる（Ｓ８０６）。座標認識位置がボタン領域内であると判定された場合は、ステップＳ８０７へ遷移し、座標認識位置がボタン領域内でないと判定された場合はステップＳ８０３へ戻り再度ペンアップしたか否かの判定が行われる。
【００４２】
ステップＳ８０６において座標認識位置がボタン領域内であると判定された場合は、そのボタン領域に対応するボタンが選択され、ボタン選択状態とする（Ｓ８０７）。
次に、ボタン選択状態となったボタンの押下処理（選択ボタン押下処理）が行われる（Ｓ８０８）。
【００４３】
そして、ペンダウン状態からペンアップしたか否かの判定が行われる（Ｓ８０９）。ペンアップしたと判定された場合は、ステップＳ８１０へ遷移する。ペンアップしていないと判定された場合は、ステップＳ８０８へ戻り再度選択ボタン押下処理が行われる。
【００４４】
ステップＳ８０９においてペンアップしたと判定された場合は、ボタン選択状態となったボタンに対応する操作を確定させ（ボタン確定状態）（Ｓ８１０）、処理を終了する。
【００４５】
以上、説明してきたように、本実施形態に係るタッチパネル、タッチパネルを備える空調システム、及びタッチパネルの制御方法によれば、以下の作用効果を奏する。
本実施形態によれば、ペンアップ状態からペンダウンとなった時点でのタッチパネル１上の座標認識位置が、非ボタン領域３０である場合は、座標を検索する座標検索状態を継続することから、ユーザがタッチしたペンダウン時にユーザの意図する位置とは異なる非ボタン領域３０にて座標が認識された場合であっても、座標が確定されず、座標を検索し続ける座標検索状態が継続される。一方、ボタン領域４０である場合は、座標を座標認識位置にて確定しボタン選択状態とする。
従来はペンダウンとなった時点での座標認識位置にて座標を確定していたため、非ボタン領域３０でペンダウンするとその後ユーザのタッチ位置が移動してもボタンが選択されないままであった。これに対し、本実施形態によれば、非ボタン領域３０でペンダウンした場合でも座標を検索し続けるため、タッチパネルに触れたにもかかわらずボタンが選択されないままの状態を防ぐことができ、ユーザの操作性を向上させることができる。
【００４６】
また本実施形態によれば、ペンアップ状態からペンダウンしたままの状態で座標認識位置がボタン領域４０へ移動した場合は、座標を座標認識位置にて確定しボタン選択状態とすることから、実際にユーザが触れた箇所とずれた非ボタン領域３０でペンダウンした場合でも、例えばペンダウン後に指を押し込むことで実際にユーザが触れた箇所であるボタン領域４０まで座標が移動するのを検索し続け、ボタン領域４０まで移動するとその座標認識位置にて座標を確定してボタン選択状態とすることができる。
また、ユーザが非ボタン領域３０でペンダウンし、その後指をスライドさせてボタン領域４０まで移動させた場合でも、その座標認識位置にて座標を確定してボタン選択状態とすることができる。
【００４７】
また本実施形態によれば、座標認識位置がペンダウン中にいずれかのボタン領域４０内に入った場合は、再ペンアップ時の座標認識位置にかかわらず再ペンアップ前で直近に入ったボタン領域４０に対応する機能を確定しボタン確定状態とすることから、ユーザが再ペンアップする前にいずれかのボタン領域４０に触れた場合は、再ペンアップする直近のボタンを確定してそのボタンに対応する機能を確定することができる。例えば、ユーザがボタンを押下し再ペンアップした際に再ペンアップ時の座標認識位置が非ボタン領域３０であっても、ユーザはボタンを押下したと認識している可能性が高い。このような場合に、ユーザの認識と、タッチパネルの動作とに乖離を無くし、ユーザの操作性を向上させることができる。またユーザがボタンをタッチした際に誤って異なるボタンをタッチした場合であっても、タッチ箇所をスライドさせることにより、所望のボタンまでタッチ箇所を移動させ、正しいボタンを押下することができる。
【００４８】
〔変形例〕
以下、本発明の一実施形態の変形例について、図９を用いて説明する。
図９には、本発明の一実施形態の変形例におけるタッチパネルの表示例が図に示されている。
上記した実施形態では、ボタン画像とボタン領域４０とは等しいとしたが、本変形例では、ボタン領域４０をタッチパネル上の対応するボタンの画像の面積よりも面積を中心方向に縮小した領域としている。図９において、ボタン画像は実線で囲まれた部分を指すが、ボタン領域４０は点線で囲まれた部分を指す。ボタン画像同士は接近して隣り合っているが、ボタン領域４０同士は間隔を空けて配置されている。
そのため、ユーザはボタン画像の中心部分をタッチすることとなり、過って隣り合う別のボタン画像をタッチすることを抑止することができる。
【００４９】
以上、説明してきたように、本変形例に係るタッチパネル、タッチパネルを備える空調システム、及びタッチパネルの制御方法によれば、以下の作用効果を奏する。
ボタン領域４０は、タッチパネル１上の対応するボタンの画像の面積よりも面積を中心方向に縮小した領域とされることから、ボタン領域４０が近接する場合にボタン領域４０の境界近くをタッチしても、タッチパネル上はボタンであっても座標は非ボタン領域３０として認識される。よって、ユーザはボタンの中心部分近くをタッチすることとなる。これにより、タッチパネルにおいて他の隣接するボタン領域４０を誤検知することを抑止することができる。
【符号の説明】
【００５０】
１  タッチパネル
３０  非ボタン領域
４０  ボタン領域
【図１】
2019109748.tif 000003
【図２】
2019109748.tif 000004
【図３】
2019109748.tif 000005
【図４】
2019109748.tif 000006
【図５】
2019109748.tif 000007
【図６】
2019109748.tif 000008
【図７】
2019109748.tif 000009
【図８】
2019109748.tif 000010
【図９】
2019109748.tif 000011